(57)【要約】【課題】商品取出口の出入操作を容易に行うことができるとともに、埃或いはゴミの混入により商品取出口の出入操作に不具合が生じない自動販売機を提供する。【解決手段】商品２が収納される自動販売機本体３と、自動販売機本体３の前面開口を開閉する外扉４と、外扉４に設けられ、自動販売機本体３から払い出される商品２を取り出すための商品取出口２０と、商品取出口２０に設けられ、自動販売機本体３から払い出される商品２を受ける商品受け材３０と、商品受け材３０を外扉４に対して前後方向に傾倒可能な傾倒機構５０とを備え、傾倒機構５０は、商品受け材３０を外扉４に対して前方向に傾倒させることにより、商品受け材３０の一端部を外扉４の前面部より外側に突出自在とするとともに、商品受け材３０を外扉４に対して後方向に傾倒させることにより、商品受け材３０の一端部を外扉４の前面部より内側に収納可能に構成される自動販売機１である。【選択図】図２
2014134829.tif 000002
【特許請求の範囲】
【請求項１】
商品が収納される自動販売機本体と、
前記自動販売機本体の前面開口を開閉する外扉と、
前記外扉に設けられ、前記自動販売機本体から払い出される商品を取り出すための商品取出口と、
前記商品取出口に設けられ、前記自動販売機本体から払い出される商品を受ける商品受け材と、
前記商品受け材を前記外扉に対して前後方向に傾倒可能な傾倒機構と、
を備え、
前記傾倒機構は、
前記商品受け材を前記外扉に対して前方向に傾倒させることにより、前記商品受け材の一端部を前記外扉の前面部より外側に突出自在とするとともに、
前記商品受け材を前記外扉に対して後方向に傾倒させることにより、前記商品受け材の一端部を前記外扉の前面部より内側に収納可能に構成されている
ことを特徴とする自動販売機。
【請求項２】
前記傾倒機構は、
一端部が前記外扉に回動自在に支持されるとともに、他端部が前記商品受け材の一端部を支持する回動支持部材から構成される
ことを特徴とする請求項１に記載の自動販売機。
【請求項３】
前記傾倒機構は、
前記外扉に設けられた前記商品取出口の底部を形成する底板と、
一端部が前記底板に回動自在に支持されるとともに、他端部が前記商品受け材の一端部を支持する回動支持部材と、
から構成される
ことを特徴とする請求項２に記載の自動販売機。
【請求項４】
前記商品受け材は、弾性変形可能な一体成型の部材で構成される
ことを特徴とする請求項１から請求項３のいずれか１項に記載の自動販売機。
【請求項５】
前記商品受け材の一端部が前記外扉の前面部より外側に突出された際に、前記傾倒機構を前記外扉に対して支持するスペーサを有し、
前記スペーサは、前記商品取出口の側面を覆う
ことを特徴とする請求項１から請求項４のいずれか１項に記載の自動販売機。
【発明の詳細な説明】
【技術分野】
【０００１】
本発明は、自動販売機に関するものであり、特に、自動販売機の商品取出口の構造に関するものである。
【背景技術】
【０００２】
従来の自動販売機として、外扉に設けられる開口部内に、上面及び背面を開放した箱状体を前後方向に移動可能に支持して商品取出口を形成したものが知られている（例えば、特許文献１参照）。特許文献１に記載の自動販売機は、箱状体を引き出して商品取出口を外扉の前面部より外側へ突出させることが可能であるため、商品取出口の上方からの商品の視認性が良く、商品の取り出しが容易である。
【０００３】
しかしながら、自動販売機の設置先によっては、外扉の前面部より外側への商品取出口の突出が規制される場合がある。そのため、このような設置先には、上記特許文献１に記載の自動販売機のような商品取出口を外扉の前面部より外側へ突出させた自動販売機を設置することができないという問題があった。
【０００４】
そこで、上記問題に対処するために、商品取出口を、外扉の前面部より外側に突出した状態（突出状態）と、外扉の前面部から突出しない状態（収納状態）と、に容易に変更できる（商品取出口の出入操作が容易にできる）自動販売機が提案されている（例えば、特許文献２参照）。特許文献２に記載の自動販売機は、自動販売機本体の商品収納室から搬出される商品を受容する商品受容部材が、前後方向に分離可能な第１及び第２の受容部材で構成されており、第１の受容部材は外扉に一体に固定され、第２の受容部材は第１の受容部材に対して底面部が互いに摺接しながら前方にスライド可能に配置されるものである。
【先行技術文献】
【特許文献】
【０００５】
【特許文献１】特開平８−８７６６１号公報
【特許文献２】特開２０１２−２０８７０８号公報
【発明の概要】
【発明が解決しようとする課題】
【０００６】
しかしながら、上記特許文献２に記載の自動販売機においては、埃或いはゴミが混入し易い商品取出口に、第１及び第２の受容部材で構成されるスライド構造の商品受容部材を用いていることから、埃或いはゴミの底面部への混入によりスライド機構（商品取出口の出入操作機構）に不具合が生じるという問題があった。
【０００７】
本発明は、上記課題を解決するもので、商品取出口の出入操作を容易に行うことができるとともに、埃或いはゴミの混入により商品取出口の出入操作に不具合が生じない自動販売機を提供することを目的とする。
【課題を解決するための手段】
【０００８】
上記課題を解決するため、第１の発明に係る自動販売機は、商品が収納される自動販売機本体と、前記自動販売機本体の前面開口を開閉する外扉と、前記外扉に設けられ、前記自動販売機本体から払い出される商品を取り出すための商品取出口と、前記商品取出口に設けられ、前記自動販売機本体から払い出される商品を受ける商品受け材と、前記商品受け材を前記外扉に対して前後方向に傾倒可能な傾倒機構と、を備え、前記傾倒機構は、前記商品受け材を前記外扉に対して前方向に傾倒させることにより、前記商品受け材の一端部を前記外扉の前面部より外側に突出自在とするとともに、前記商品受け材を前記外扉に対して後方向に傾倒させることにより、前記商品受け材の一端部を前記外扉の前面部より内側に収納可能に構成されているものである。
【０００９】
上記構成によれば、傾倒機構により商品受け材を前記外扉に対して前方向に傾倒させることによって、商品取出口内の奥行き寸法が大きくなるとともに、傾倒機構により商品受け材を前記外扉に対して後方向に傾倒させることによって、商品取出口内の奥行き寸法が小さくなる。
【００１０】
また、第２の発明に係る自動販売機は、第１の発明に係る自動販売機において、前記傾倒機構は、一端部が前記外扉に回動自在に支持されるとともに、他端部が前記商品受け材の一端部を支持する回動支持部材から構成されるものである。
【００１１】
上記構成によれば、回動支持部材を、外扉を支点として前方向に回動させることによって、商品取出口内の奥行き寸法が大きくなるとともに、回動支持部材を、外扉を支点として後方向に回動させることによって、商品取出口内の奥行き寸法が小さくなる。
【００１２】
さらに、第３の発明に係る自動販売機は、第２の発明に係る自動販売機において、前記傾倒機構は、前記外扉に設けられた前記商品取出口の底部を形成する底板と、一端部が前記底板に回動自在に支持されるとともに、他端部が前記商品受け材の一端部を支持する回動支持部材と、から構成されるものである。
【００１３】
上記構成によれば、回動支持部材を、底板を支点として前方向に回動させることによって、商品取出口内の奥行き寸法が大きくなるとともに、回動支持部材を、底板を支点として後方向に回動させることによって、商品取出口内の奥行き寸法が小さくなる。
【００１４】
さらに、第４の発明に係る自動販売機は、第１から第３のいずれか１つの発明に係る自動販売機において、前記商品受け材は、弾性変形可能な一体成型の部材で構成されるものである。
【００１５】
上記構成によれば、商品受け材に埃或いはゴミが混入しても、商品取出口の出入操作機構に支障がでない。
【００１６】
さらに、第５の発明に係る自動販売機は、第１から第４のいずれか１つの発明に係る自動販売機において、前記商品受け材の一端部が前記外扉の前面部より外側に突出された際に、前記傾倒機構を前記外扉に対して支持するスペーサを有し、前記スペーサは、前記商品取出口の側面を覆うものである。
【００１７】
上記構成によれば、商品取出口の側面からの雨水或いは塵埃の侵入を防止する。
【発明の効果】
【００１８】
本発明の効果として、以下に示すような効果を奏する。すなわち、上記自動販売機によると、通常は商品取出口の奥行き寸法を大きくして商品を取出し易くすることができるとともに、奥行きスペースが少ない設置先では、その場で商品取出口を引っ込めることができる。また、前記商品受け材を傾倒機構により外扉に対して前後方向に傾倒可能な構造であり、底面部同士を摺接させるような構造ではないため、埃或いはゴミが底面部に混入しても、商品受け材を傾倒させる操作（商品取出口の出入操作）に支障を来たさない。
【図面の簡単な説明】
【００１９】
【図１】本発明の実施の形態に係る自動販売機の側面断面図である。
【図２】同自動販売機の商品取出口を外扉の前面部より外側に突出させた状態での商品取出口近傍の側面断面図である。
【図３】商品取出口を外扉の前面部より内側に収納した状態での商品取出口近傍の側面断面図である。
【図４】（ａ）は、商品取出口を外扉の前面部より外側に突出させた状態での商品取出口の正面図、（ｂ）は、商品取出口を外扉の前面部より内側に収納した状態での商品取出口の正面図である。
【図５】（ａ）は、商品受け材の平面図、（ｂ）は、商品受け材の側面図である。
【図６】（ａ）は、回動支持部材の平面図、（ｂ）は、回動支持部材の側面図である。
【図７】回動支持部材に取り付けた商品受け材の一端上部付近を外扉の裏側から見た場合の斜視図である。
【図８】底板の平面図である。
【図９】スペーサの斜視図である。
【発明を実施するための形態】
【００２０】
以下に、本発明の実施の形態に係る自動販売機１の構成について図面に基づき説明する。
【００２１】
図１に示すように、本発明の実施の形態に係る自動販売機１は、缶等の商品２を冷却或いは加温して販売可能な自動販売機である。なお、本発明は、以下に説明する自動販売機１に限定されるものではなく、外扉に商品取出口を有する自動販売機であれば構わない。自動販売機１は、商品２が収納される自動販売機本体３と、自動販売機本体３の前面開口を開閉する外扉４と、を備える。
【００２２】
図１に示すように、自動販売機本体３は、断熱性を有する内扉５により前面が開閉可能な断熱構造の上部側の空間に、商品２を収納する複数列の商品収納部６・６・・が設けられている。商品収納部６・６・・の下端部には、商品収納部６・６・・に収納された商品２を順次払い出す払出装置７が配設されている。そして、払出装置７により払い出された商品２は、シュート８により案内されて、内扉５の下部に設けられる商品排出口９を通じて、後述する商品取出口２０に払い出される。
【００２３】
外扉４は、その左又は右の一端側が自動販売機本体３の前面開口の左又は右の一端側の箇所に回動自在に支持される。また、図１に示すように、外扉４の下部には、自動販売機本体３の商品収納部６・６・・から払い出された商品２を取り出すための商品取出口２０が設けられる。
【００２４】
商品取出口２０は、外扉４の下部に、外扉４の左右方向に延びて形成される側面断面が略矩形状の空間部である。自動販売機１においては、この商品取出口２０の状態（商品取出口２０内の奥行き寸法）を変更することができる。詳しくは、図１及び図２に示すように、通常使用時の自動販売機１は、商品取出口２０の一部分が外扉４の前面部より外側に突出した状態で構成される。一方、商品取出口２０の前方への突出が規制されている設置先では、図３に示すように、自動販売機１は、商品取出口２０が外扉４の前面部より内側に収納された（外扉４の前面部から外側に突出しない）状態で形成される。
【００２５】
次に、商品取出口２０及び商品取出口２０を形成する部品等の構成について説明する。
【００２６】
図１に示すように、商品取出口２０の上部には、商品排出口９の不正な開放を規制するための防盗板２１が設けられている。防盗板２１は、外扉４の左右方向に延びる板状部材であり、その一端部（上端部）が商品取出口２０の上端部に回動自在に支持されている。
【００２７】
また、商品取出口２０の前面には、商品２を取り出すための開口部２２が形成される。図２に示すように、開口部２２は、商品取出口２０を形成する主たる構成部材である本体フレーム２３と、本体フレーム２３の前側両端部に上下方向に延びるように設けられる開口側端部カバー部材２４と、から主に形成されている。
【００２８】
図２に示すように、開口側端部カバー部材２４は、商品取出口２０の左右両端部で上下方向に延びた略柱状の部材である。開口側端部カバー部材２４は、各種部材を取り付けるための取付部材であるとともに、後述する取出口扉２５を商品取出口２０の開口部２２に取り付けた際に取出口扉２５の左右両端部と、開口部２２の左右両端部とを覆うカバー部材である。開口側端部カバー部材２４は、その上端部に取出口扉２５を回動自在に支持する軸受２４ａが設けられている。また、開口側端部カバー部材２４は、その上端部及び下端部に外扉４へ取り付けるための取付孔２４ｂ・２４ｂが設けられている。さらに、開口側端部カバー部材２４は、その下部に後述する化粧板側部カバー４０（Ｚ状部材４５）又はスペーサ６０を締結するためのネジ孔２４ｃ・２４ｃが設けられている。
【００２９】
さらに、図２及び図４に示すように、商品取出口２０の開口部２２には、開閉自在に設けられる取出口扉２５と、開口部２２の下部（後述する回動支持部材５１）を覆い隠す化粧板２６と、が設けられている。
【００３０】
取出口扉２５は、商品取出口２０の左右方向に延びた合成樹脂等の透明板である。取出口扉２５は、その一端部（上端部）が開口部２２の上部（開口側端部カバー部材２４の上端部）に回動自在に支持され、その他端部（下端部）が後述する化粧板側部カバー４０の上端部に載置される。商品取出口２０においては、取出口扉２５を外扉４の外側に回動することで、商品取出口２０内の商品２が取出し可能となる。
【００３１】
化粧板２６は、商品取出口２０の左右方向に延びた板状の部材である。図２に示すように、化粧板２６は、その裏面に、化粧板２６或いは後述する商品受け材３０を支持する回動支持部材５１への取り付け部分である第１凸部２６ａ及び第２凸部２６ｂが形成されている。化粧板２６及び回動支持部材５１は、回動支持部材５１を化粧板２６の第１凸部２６ａ及び第２凸部２６ｂにネジ止めして全体として箱状に形成することで、強度を持たせている。また、図４に示すように、化粧板２６は、その両端部が後述する化粧板側部カバー４０・４０に固定される。
【００３２】
図４に示すように、化粧板側部カバー４０は、化粧板２６の左右の端部を覆うカバー状の部材である。図４（ａ）に示すように、化粧板側部カバー４０は、その一端部に化粧板２６の左又は右の端部を覆うカバー部４０ａが設けられ、その他端部に、後述するスペーサ６０又は開口側端部カバー部材２４に取り付けられる取付部４０ｂが形成されている。
【００３３】
さらにまた、図２及び図３に示すように、商品取出口２０の下部には、自動販売機本体３の商品収納部６・６・・から払い出された商品２を受ける商品受け材３０が設けられている。
【００３４】
図２及び図３に示すように、商品受け材３０は、後述するように外扉４に対して前後方向に傾倒自在に構成されている。また、図５に示すように、商品受け材３０は、弾性変形可能な板状の部材で一体成型されており、例えば、樹脂製の板状部材で構成されている。このように、商品受け材３０を一体成型することで、商品取出口２０の底部に配設された商品受け材３０に埃或いはゴミが混入しても、前後方向への傾倒に支障がでない。さらに、商品受け材３０は、その上面で商品収納部６・６・・から払い出された商品２を受けるとともに、その下面に取り付けられるスポンジ２９・２９（衝撃吸収部材）によって商品２の商品受け材３０への衝撃が吸収される。さらにまた、図２、図３及び図５に示すように、商品受け材３０は、後側端部３０ａが商品取出口２０をなす本体フレーム２３の後端部に固定され、前側端部３０ｂが後述する回動支持部材５１の上端部５１ａ（図６参照）に支持されることで、商品取出口２０の下部で湾曲した状態で保持される。さらにまた、商品受け材３０は、その中央部に雨水等を排出する複数の水抜き孔３０ｃ・３０ｃ・・・が形成されている。
【００３５】
さらにまた、図２、図３に示すように、商品取出口２０の下部には、商品受け材３０を外扉４に対して前後方向に傾倒させる傾倒機構５０が設けられている。
【００３６】
傾倒機構５０は、商品受け材３０を支持する回動支持部材５１と、回動支持部材５１を回動自在に支持する底板５２と、を有する。傾倒機構５０においては、回動支持部材５１を外扉４に対して前後方向に回動させることで、商品受け材３０が外扉４に対して前後方向に傾倒する。また、傾倒機構５０は、回動支持部材５１の差込部５１ｃ（図６参照）を底板５２の差込孔部５２ｄ（図８参照）に差し込むことにより、底板５２を支点として回動支持部材５１が回動可能な構造としている。このように傾倒機構５０を構成することで、回動支持部材５１を回動させるために別途部材を必要とせず、回動支持部材５１及び底板５２のみの簡単な構成で傾倒機構５０を構成することができる。
【００３７】
ここで、傾倒機構５０の各構成について説明する。
【００３８】
図２、図３及び図６に示すように、回動支持部材５１は、商品取出口２０（開口部２２）の左右方向に延びた略矩形状の板状部材であり、商品取出口２０の前面下部（開口部２２の下部）に設けられる。また、図６及び図７に示すように、回動支持部材５１は、上端部５１ａの先端が、Ｕ字状に曲げられて、商品受け材３０の前側端部３０ｂの先端を差し込み可能な形状に形成されている。そして、回動支持部材５１は、上端部５１ａに商品受け材３０の前側端部３０ｂを差し込み、その差込んだ部分を樹脂製のシート５５で挟み込むことにより、商品受け材３０を支持する。また、回動支持部材５１は、下端部５１ｂに、底板５２の前端部５２ａ（図８参照）に差し込むための差込部５１ｃが複数（図６では４か所）設けられている。さらに、図２及び図３に示すように、回動支持部材５１は、その前面に化粧板２６が取り付けられている。さらにまた、回動支持部材５１は、上端部５１ａがＺ状部材４５によって支持される。
【００３９】
図７に示すように、Ｚ状部材４５は、Ｚ字状に一体成型された部材である。Ｚ状部材４５は、回動支持部材５１を支持する支持部４５ａと、開口側端部カバー部材２４に固定するための固定部４５ｂと、を有する。図２及び図７に示すように、Ｚ状部材４５は、その支持部４５ａがシート５５と化粧板側部カバー４０とに挟み込まれる状態で配置される。なお、Ｚ状部材４５は、商品取出口２０の一部分を外扉４の前面部より外側に突出させる場合に取り付ける部材であり、商品取出口２０を外扉４の前面部より内側に収納する場合には取り外される。
【００４０】
図２、図３及び図８に示すように、底板５２は、商品取出口２０の左右方向に延びた略矩形状の板状部材であり、商品取出口２０の底部を形成する部材である。底板５２は、前端部５２ａに折り曲げ可能な底板取付部５２ｃが複数（図８では２か所）設けられ、この底板取付部５２ｃを下方向に折り曲げることで、外扉４に取り付け可能となる。また、底板５２は、前端部５２ａに回動支持部材５１の差込部５１ｃが差込まれる差込孔部５２ｄが複数（図８では４か所）設けられている。底板５２は、この差込孔部５２ｄにおいて回動支持部材５１を回動自在に支持する。図８に示すように、差込孔部５２ｄは、回動支持部材５１の差込部５１ｃの形状に合わせて、長孔状に形成されている。また、差込孔部５２ｄは、回動支持部材５１が底板５２に対して充分に回動できるように、その両端部が円形状に形成されている。さらに、底板５２は、その中央部に雨水等を排出する複数の水抜き孔５２ｅ・５２ｅ・・が形成されている。
【００４１】
なお、傾倒機構５０は、回動支持部材５１及び底板５２を有する機構に限定されるものではなく、商品受け材３０を外扉４に対して前後方向に傾倒可能な機構であればよい。例えば、商品受け材３０を傾倒させる回動支持部材５１を、商品取出口２０の底板５２に設けずに直接外扉４の前面部や商品取出口２０の本体フレーム２３や開口側端部カバー部材２４などに設け、外扉４を支点として回動支持部材５１を回動させることにより商品受け材３０を傾倒させる機構であっても構わない。また、回動支持部材５１は、１つの矩形状の板状部材に限定されるものではなく、商品受け材３０の少なくとも左右端部の各々を支持する複数の板状部材や棒状部材であってもよい。また、傾倒機構５０は、回動支持部材５１を有する機構に限定されるものではなく、テレスコピック構造やラチス構造などの伸縮機構や折り曲げ機構であってもよく、回動支持部材５１を介さず直接的に商品受け材３０を傾倒させる機構であっても構わない。
【００４２】
さらにまた、図２、図４（ａ）及び図９に示すように、商品取出口２０の前面部（開口部２２の両端部）には、商品取出口２０の一部分を外扉４の前面部より外側に突出させる場合に取り付けられるスペーサ６０が設けられている。
【００４３】
図９に示すように、スペーサ６０は、側面断面が略三角形状の部材である。スペーサ６０は、その前面下部に化粧板側部カバー４０を支持するための第１凹部６０ａと、その側面部にＺ状部材４５を逃がすための第２凹部６０ｂと、が形成されている。なお、スペーサ６０は、商品取出口２０を外扉４の前面部より内側に収納する場合には取り外される。スペーサ６０を商品取出口２０の開口部２２の両端部に取り付けることで、開口部２２の両端部と、取出口扉２５の両端部との隙間から雨水或いは塵埃の侵入を防止することができる。
【００４４】
次に、商品取出口２０の出入状態（突出状態及び収納状態）について説明する。上述のように、商品取出口２０は、自動販売機１の設置先に応じて、商品取出口２０の一部分の出し入れが可能である。
【００４５】
自動販売機１は、通常、商品取出口２０の一部分が外扉４の前面部より外側に突出した状態（突出状態）で設置先に置かれる。図２に示すように、商品取出口２０を突出状態とする場合、自動販売機１においては、傾倒機構５０である回動支持部材５１を、底板５２の差込孔部５２ｄを支点として前方向に回動させることにより、回動支持部材５１の一端部（上端部）を外扉４の前面部より外側に突出させる。そして、この回動支持部材５１の回動に連動して商品受け材３０の前側端部が前方向に移動（傾倒）し、商品受け材３０の前側端部が外扉４の前面部より外側に突出した状態となる。すなわち、商品取出口２０が突出状態となり、商品取出口２０内の奥行き寸法が大きくなる。
【００４６】
一方、自動販売機１の設置先を、商品取出口２０の突出が規制されている設置先に変更する場合、或いは、設置先の状況の変化により商品取出口２０を突出させることができなくなった場合などには、自動販売機１は、商品取出口２０が外扉４の前面部より内側に収納された状態（収納状態）で設置先に置かれる。図３に示すように、商品取出口２０を収納状態とする場合、自動販売機１においては、傾倒機構５０である回動支持部材５１を、底板５２の差込孔部５２ｄを支点とて後方向に回動させることにより、回動支持部材５１の一端部（上端部）を外扉４の前面部より内側に収納する。そして、この回動支持部材５１の回動に連動して商品受け材３０の前側端部を後方向に移動（傾倒）させることで、商品受け材３０の前側端部が外扉４の前面部より内側に収納された状態となる。すなわち、商品取出口２０が収納状態となり、商品取出口２０内の奥行き寸法が小さくなる。
【００４７】
このように、自動販売機１においては、設置先の状況に応じて、傾倒機構５０である底板５２を支点として回動支持部材５１を前後方向に回動させることにより、商品取出口２０の出し入れが可能となり、容易に商品取出口２０内の奥行き寸法を変更することができる。
【００４８】
次に、自動販売機１における商品取出口２０の出入操作のうち、商品取出口２０を突出状態（図２参照）から収納状態（図３参照）に変更する場合の操作について説明する。
【００４９】
自動販売機１において商品取出口２０を突出状態から収納状態に変更する場合、まず、外扉４の前面部（商品取出口２０の開口部２２の両端部）に取り付けられているスペーサ６０を外扉４から取り外す。次に、回動支持部材５１の上端部を支持しているＺ状部材４５を開口側端部カバー部材２４から取り外す。これにより、回動支持部材５１が前後方向に回動可能となる。そして、回動支持部材５１の一端部（上端部）を後方向に押し込みながら、回動支持部材５１を後方向へ移動させる。これにより、商品受け材３０の前側端部が外扉４の前面部より内側に収納される。最後に、化粧板側部カバー４０を開口側端部カバー部材２４にネジで固定する。これにより、回動支持部材５１が外扉４の前面部より内側で固定される。なお、商品取出口２０を収納状態（図３参照）から突出状態（図２参照）に変更する場合は、上記操作と逆の操作を行えば良い。
【００５０】
以上のように、自動販売機１においては、傾倒機構５０である回動支持部材５１を底板５２に対して前後方向に回動するだけで、商品受け材３０の前側端部３０ｂが前後方向に傾倒し、商品取出口２０の出し入れが可能となることから、容易に商品取出口２０の奥行き寸法を大きくして商品６を取り易くできるとともに、容易に商品取出口２０の奥行き寸法を小さくして、より省スペースに自動販売機１を設置することができる。また、商品取出口２０を収納状態とする場合には、スペーサ６０及びＺ状部材４５を取り外し、回動支持部材５１を商品取出口２０内に押し込むだけで良いため、商品取出口２０を収納状態とするために別途部品を用意する必要がないとともに、作業時間が短く、操作性が良好である。
【符号の説明】
【００５１】
１    自動販売機
２    商品
３    自動販売機本体
４    外扉
２０  商品取出口
３０  商品受け材
５０  傾倒機構
５１  回動支持部材
５２  底板
６０  スペーサ
【図１】
2014134829.tif 000003
【図２】
2014134829.tif 000004
【図３】
2014134829.tif 000005
【図４】
2014134829.tif 000006
【図５】
2014134829.tif 000007
【図６】
2014134829.tif 000008
【図７】
2014134829.tif 000009
【図８】
2014134829.tif 000010
【図９】
2014134829.tif 000011